Podtech/llm-jp-corpus-v4-ja_patent huggingface dataset:
(57)【要約】【課題】クリーンなエネルギーを得るために、地球の重力を利用し遠心力回転エネルギーを増力して発電する装置を提供する。【解決手段】直立した回転軸の外周方向にアームを出し、その先端に重量物を取り付け、その回転軸の下部点を固定し傾斜した状態で回転させると、重量物に遠心力が発生する。その遠心力が回転軸に回転力として伝達され、回転エネルギーが発電機に伝達され電気エネルギーとして使用することができる。回転軸は遠心力を利用するため、小さなエネルギーで回転することができる。【選択図】図５
2013104423.tif 000002
【特許請求の範囲】
【請求項１】
独立した回転軸の中間に、回転軸より外周方向に伸びるアームとアームの先端に設けた重量物からなり、環状穴に沿って回転軸部を移動する時に重量物の遠心力により、小さな力で回転を操作出来るようにした。
【請求項２】
回転軸に取り付けるアームは、回転軸の軸方向の中心部又は下側で、かつ回転軸に対して水平、又は下側に傾斜していることを特徴とする。
【発明の詳細な説明】
【発明の詳細な説明】
【技術分野】
【０００１】本発明は、回転軸に不均衡になるアームを取り付け、さらにアームの先端に重量物を取り付け、この回転軸を傾斜回転させ重量物の遠心力を利用して大きなエネルギーを得る装置として開発する。その目的はクリーンエネルギーによる発電である。
【背景技術】
【０００２】従来のクリーンエネルギー開発は、風力、太陽光、水力、地熱等、幅広い分野で開発されているが、天候に左右されるなど問題点も多い。遠心力回転は、大自然に束縛されない地球の重力を利用し、無限のエネルギーを得ることができる。
【発明が解決しようとする課題】
【０００３】地球温暖化防止、大規模発電の問題防止、電気自動車の開発、自家発電の普及
【問題解決しようとする課題】
【０００４】回転軸に不均衡になるアームを取付け、アームの先端に重量物を取付け、これを傾斜回転させて、遠心力を発生させ、これをエネルギーとして使用する。
【発明の実施と形態】
【０００５】本発明の、発電に必要な回転力は回転軸の長さ、重量物の質量、アームの長さ及び、取り付け角度によって設定出来、又回転数も設定出来るので安定したクリーンエネルギーを得ることが出来る。上部回転軸の回転移動手段は、小型発電機又は、水力動力を補助駆動として使用する。
【０００６】
【特許文献】特開２０００−３５０４３８
【実施例】
【０００７】図１：回転軸設置時の正面図で、回転軸は重量物側に傾く。
図２：回転軸の下部端を回転リング（６）に取り付け、これを支点にして反重量物側に傾斜させ左右のバランスを取っている状態を示す。
図３：回転軸を反重量物側により傾斜させるとバランスが崩れ、回転軸を中心にアーム及び重量物が回転を始めることにより遠心力が発生、回転軸は少しの移動力で連続回転をし、回転軸移動リング（７）の小さな円運動が、回転軸に大きな回転力を与え、クリーンなエネルギーになる。回転軸支持座は回転軸を反重量側に傾斜させて重量物が回転を始めた所を半径とする内面環状穴を持つ支持座である。
【発明の効果】
【０００８】本発明は遠心力を最大限利用し、小型発動機を遠心力装置の補助駆動とし少しの電力で大きな電力を得ることが出来る装置として発明の効果を十分発揮し、クリーンエネルギーとして豊かな暮らしに貢献できる遠心力発電装置である。
【図面の簡単な説明】
【図１】遠心力回転発電装置設置時の正面図
【図２】遠心力回転発電装置設置時の正面図をＰから見た図
【図３】遠心力回転発電装置左右バランス時の正面図
【図４】遠心力回転発電装置左右バランス時の正面図をＰから見た図
【図５】遠心力回転発電装置回転時の正面図
【図６】遠心力回転発電装置回転時の正面図をＰから見た図
【符号の説明】［１］フレーム
［２］回転軸
［３］回転アーム
［４］重量物
［５］上部回転リング
［６］下部回転リング
［７］カップリング
［８］回転軸移動リング
［９］回転軸支持座
［１０］回転軸補強板
［１１］発電機
［１２］総体支持台
【図１】
2013104423.tif 000003
【図２】
2013104423.tif 000004
【図３】
2013104423.tif 000005
【図４】
2013104423.tif 000006
【図５】
2013104423.tif 000007
【図６】
2013104423.tif 000008
(57)【要約】【課題】燃料の熱エネルギーと、ドーム型天井からの輻射熱エネルギーを有効利用し、燃料の増減や空気の流れで、石窯内の温度を調節しながら長時間連続使用ができ、オーブン調理のほか、ダッチオーブン調理、燻製器としての機能も有する石窯を提供する。【解決手段】燃焼室内部を、上部燃焼室（３）、下部燃焼室（１）、燃焼室外側（２）に分割し、石窯内の温度上昇のために使用した燃料も、燃焼室外側（２）または下部燃焼室（１）に移動することによって、燃料の有効利用ができる。また、下部燃焼室（１）や燃焼室外側（２）への燃料追加、空気調整蓋（５）の開閉により、上部燃焼室（３）内に焼成物を入れたままでも、石窯内部の温度を調節できる。上部燃焼室（３）内で、直接燃料をあてがうことでダッチオーブン料理ができる。下部燃焼室（１）内に、サクラやブナなどの木材チップにして燻すと、上部燃焼室（３）内の焼成物を燻製調理できる。【選択図】図１
2013078286.tif 000002
【特許請求の範囲】
【請求項１】
下部燃焼室に空間を保つことで空気の流れを作り、上部燃焼室の端に置いた燃料の増減と下部燃焼室の空気調整蓋の開閉によって温度調節を可能にするよう、上部燃焼室と下部燃焼室をつなぐ空間を保持しながら、燃焼室内部に中仕切り板を設置することを特徴とするピザやパンなどを焼く石窯
【請求項２】
上部燃焼室で、直接燃料を鍋にあてがい調理するダッチオーブンが使用できる、請求項１記載の石窯
【請求項３】
下部燃焼室でサクラやブナなどの木材を燻すことによって、上部燃焼室にある焼成物を燻製調理ができる、燻製器としての機能も有した請求項１記載の石窯
【発明の詳細な説明】
【技術分野】
【０００１】
この発明は、ドーム型の天井を持ち、燃焼室内部を上下に分割した、ピザやパン焼きなどのオーブン機能、ダッチオーブン調理機能、燻製機能などを有する石窯に関するものである。
【背景技術】
【０００２】
従来のピザやパン焼き等のオーブン料理に用いる石窯は、燃焼室内で薪などを燃して室内の温度を上げた後、その燃料を取り出して燃焼室内の放射熱で焼くもの、または、その燃料を燃焼室の端に移動させた上で、直接その燃料の熱で調理するものである。また、石窯内部は単室構造で、オーブン料理のみの機能となっている。
【発明の概要】
【発明が解決しようとする課題】
【０００３】
しかしながら、以上の技術によれば、調理中に石窯内の温度が下がってしまった場合、再度温度を上昇させるには、中の焼成物を一度取り出し、再加熱した後、再び焼成物を内部に戻すという作業が必要になってくる。扉開閉の際などに起きる石窯内の温度低下や調理中断は料理への影響が大きく、手間だけでなく味の追求という観点からも非常に大きな問題である。また、石窯内部を加熱後、燃料を取り出すということは、熱エネルギーの損失にもつながっている。
そこで、この発明は、熱エネルギーを有効利用し、石窯内の温度を調節しながら長時間連続使用を可能にする石窯を提供することを課題とする。
【課題を解決するための手段】
【０００４】
以上の課題を解決するために、この発明は、燃料からの熱を反射させ、輻射熱を焼成物に効率よく当てるドーム型の天井をもち、燃焼室内を燃焼プレートで上下に分割することで、燃焼に必要な空気の流れを確保し、必要に応じ燃料の追加をしても温度維持が出来るよう下部燃焼室（１）を設け、燃料の熱エネルギーを継続的に主調理室である上部燃焼室（３）に供給することを特徴とするものである。
【発明の効果】
【０００５】
この発明によれば、下部燃焼室（１）の前部に設置した空気調整蓋（５）を調節することによって、燃料に継続的に空気を与え、新たに燃料追加した場合でも、着火までの時間が短く、燃焼室内の温度低下を緩やかにすることが可能であるため、少量の燃料で、しかも、従来一般的に使用されている、熱量が大きく煙の多い薪ではなく、熱量が小さく煙の少ない木炭の使用のみでもオーブン料理が可能となり、しかも排煙による近隣への影響を少なくできる。
また、燃料としてサクラ・ブナなどの木材を燻すことで、冷燻から熱燻までできる燻製器としても使用できる。
蓋付き鍋に直接燃料をあてがうダッチオーブンでの調理も可能できる。
従来の石窯では、調理の際には外部に取り出す必要のある、燃焼室の温度上昇のためだけに使用する燃料も、燃焼室外側（２）に移動させ、継続して燃焼室内にとどまらせるため、燃料の有効利用ができる。
【図面の簡単な説明】
【０００６】
【図１】この発明の正面図である。
【図２】この発明の上方から見た断面図である。
【図３】この発明の側面から見た断面図である。
【図４】この発明の実施の形態を示す、側面から見た断面図である。
【図５】燃焼室内部に設置する燃焼プレートである。
【発明を実施するための形態】
【０００７】
この発明の実施形態を、図４に示す。
石窯の本体は耐火セメント製または耐火煉瓦製であり、燃焼プレート（４）は耐火セメント製または陶器製である。本体の燃焼室内は、上部燃焼室（３）・下部燃焼室（１）・燃焼室外側（２）に分けられている。燃焼室外側（２）は、上部燃焼室（３）と下部燃焼室（１）とをつなぐ空間になっている。燃料は、オーブン調理では薪、木炭など。燻製調理では、サクラやブナなどの木材チップ。主調理室は上部燃焼室（３）であり、下部燃焼室（１）からは、主に空気の流れを取り入れる。
燃焼プレート（４）は、上部燃焼室（３）での調理台となるだけでなく、燃焼室外側（２）の熱を上部燃焼室（３）に伝える役割もあるため、完全に上下燃焼室を分離するのではなく、一部空間をもたせている。 
燃焼プレート（４）は、上部燃焼室（３）内に、移動可能な状態で設置する。
燻製器として使用する場合、燃料を木炭などからサクラやブナなどの木材チップに変更し、下部燃焼室（１）に配置する。燻された木材チップの煙が、下部燃焼室（１）から上部燃焼室（３）内へ充満し、上部燃焼室（３）に据え付けた焼成物が燻製となる。
密閉性の高い空間を作るために、前面開口部に扉を設置することもある。
【実施例１】
【０００８】
図４の実施形態によれば、主調理室である上部燃焼室（３）内に燃焼プレート（４）を配置し、木炭などの燃料で加熱した後、その燃料を燃焼室外側（２）に移動させる。燃焼プレート（４）の上に調理する焼成物を据え付け調理を行う。燃料の量を調節することで、上部燃焼室（３）内の温度を調整することができる。また、燃焼室外側（２）へ木炭などの燃料追加により、連続的に長時間使用することができる。焼成物の加熱具合の調節は、燃料、空気量の調節することで、それを可能にする。
【実施例２】
【０００９】
図４の実施形態では、燃焼室外側（２）に燃料を置いているが、他の実施形態では、上部燃焼室（３）内ならびに下部燃焼室（１）内に、燃料を置いたものでもよい。
【符号の説明】
【００１０】
１  下部燃焼室            ２  燃焼室外側          ３  上部燃焼室
４  燃焼プレート          ５  空気調整蓋
【図１】
2013078286.tif 000003
【図２】
2013078286.tif 000004
【図３】
2013078286.tif 000005
【図４】
2013078286.tif 000006
【図５】
2013078286.tif 000007
(57)【要約】【課題】  かぼすと、塩をブレンドしたかぼすソルトを提供する。【解決手段】  かぼすから摘出したかぼすの果汁を絞り塩の中に浸し酸味を保持するために冷蔵乾燥し、かぼすの皮を小さく切り、かぼすの皮の香りと緑色の皮を保持するために冷蔵乾燥させ、かぼすの果汁、塩、かぼすの皮の香りと味を保持して調味料して使用することを特徴とする。【選択図】図１
2013078301.tif 000002
【特許請求の範囲】
【請求項１】
かぼすの皮（３）を小さく切り刻み、皮の緑を保持するために冷蔵庫で乾燥させ、乾燥した塩とかぼす（１）から摘出したかぼすの果汁、乾燥した皮をブレンドし、かぼすの果汁（２）と塩（４）と、かぼすの皮（３）をブレンドした酸味のあるのを特徴としたかぼすソルト。
【発明の詳細な説明】
【技術分野】
【０００１】  本発明は、かぼすを塩、かぼす果汁、皮をブレンドすることでカボスの香りと酸味、塩分があるソルトに関するものである。
【背景技術】
【０００２】  従来の柑橘系ソルトは、柑橘の香りと塩の２種類の成分である。
【発明の開示】
【発明が解決しようとする課題】
【０００３】  これは次のような欠点があった。
従来の柑橘類ソルトは、風味とソルト味で、柑橘類の酸味は含まれていなかった。
本発明は以上の問題点を解決しようとするものである。
【課題を解決するための手段】
【０００４】  かぼす（１）から摘出したかぼすの果汁（２）を絞り、塩（４）をその酢に浸し、乾燥し、かぼすの皮（３）を小さく切り刻み、皮の緑色を失わないように乾燥させてブレンドしたソルトである。
本発明は、以上の構成よりなるかぼすソルトである。
【発明の効果】
【０００５】  本発明は、かぼすの酸味と、塩味、かぼすの皮の味と香りのする、かぼすソルトを、野菜サラダ、天ぷら、焼魚、ムニエにふりかけ食し、手作りドレシングの調味料として使うことができる。
【図面の簡単な説明】
【０００６】
【図１】  本発明の斜視図である。
【図２】  本発明のかぼすと塩の説明図である。
【図３】  本発明の使用状態を示した斜視図である。
【図４】  本発明の使用状態を示した斜視図である。
【発明を実施するための形態】
【０００７】  以下、本発明を実施するための形態について説明する。
（イ）かぼす（１）から摘出したかぼすの果汁（２）に塩（４）を浸みせ込ませ、酸味を    保持するために冷蔵乾燥をする。
（ロ）かぼすの皮（３）を小さく切り刻み皮の緑を保持するために冷蔵乾燥する。
（ハ）かぼすの果汁（２）、かぼすの皮（３）、塩（４）をブレンドしたかぼすソルトで    ある。
本発明は、以上の構成よりなっている。
本発明を使用するときは、上記のかぼすソルトを生野菜、焼魚  肉料理にふりかけ酸味が強すぎず、ミネラルが多いので食材の味を消すことなく、味を引き立たせるかぼすソルトである
【符号の説明】
【０００８】    １  かぼす
２  かぼすの果汁
３  かぼすの皮
４  塩
【図１】
2013078301.tif 000003
【図２】
2013078301.tif 000004
【図３】
2013078301.tif 000005
【図４】
2013078301.tif 000006
(57)【要約】【課題】  豆腐等の柔らかい食品を簡単かつ効率よくさいの目状に切断できるさいの目カッターを提供する。【解決手段】  縦方向に切断線材が張られた縦切断部及び縦横方向に切断線材が張られた十字切断部を有する本体のトレー部に豆腐等の柔らかい食品をのせて滑らせ、縦切断部と十字切断部を通過させることにより簡単かつ効率よくさいの目切りに切断できることを特徴とするさいの目カッター。【選択図】図１
2013078302.tif 000002
【特許請求の範囲】
【請求項１】
縦切断部３の横に食品を乗せるトレー部２を備えた本体形状とし簡単に縦切断部３へ豆腐等の柔らかい食品を挿入することができることを特徴とするさいの目カッター。
【請求項２】
六面体のうち隣り合う二面に遮へい物がなく解放した形状かつ解放した一面と隣接する隣り合う二面に縦切断部３と十字切断部４を備えた本体形状とし手を挿入して豆腐等の柔らかい食品を押して切断補助を行なうことを可能としたことを特徴とする、さいの目カッター
【発明の詳細な説明】
【技術分野】
【０００１】  この発明は、豆腐等の柔らかい食品をさいの目に切断する器具の形状に関する。
【背景技術】
【０００２】  従来、一般家庭では豆腐のさいの目切りは手の上又はまな板の上に豆腐を乗せ何度も包丁を入れる事により行なう。特許文献１の技術は有るものの使い難い形状である。
【先行技術文献】
【特許文献】
【０００３】
【特許文献１】特開２００９−１４２６１４号公報
【発明の概要】
【発明が解決しようとする課題】
【０００５】  しかしながら、以上の技術によれば次のような問題点がある。
（イ）豆腐を手の上で切ると包丁が手に当たりけがをする可能性がある。
（ロ）包丁で均一寸法のさいの目に切ることは難しい。
（ハ）特許文献１の技術は柔らかい絹豆腐を手で持って器具上部から挿入する事が難しく固い木綿豆腐が豆腐きり糸を通過しない場合に器具内から豆腐を押し出す事も難しい。
そこで、この発明は、これらの問題点を解決し簡単かつ効率よくさいの目切りができる形状の器具を提供することを課題とする。
【課題を解決するための手段】
【０００６】  以上の課題を解決するために、第一発明は、縦切断部の横に食品を乗せるトレー部を備えた本体形状とし簡単に豆腐等の柔らかい食品を切断部へ挿入することができることを特徴とするさいの目カッターである。また、第二発明は、六面体のうち隣り合う二面に遮へい物がなく解放した形状かつ解放した一面と隣接する隣り合う二面に縦切断部と十字切断部を備えた本体形状とし手を挿入して豆腐等の柔らかい食品を押して切断補助を行なうことを可能としたことを特徴とする、さいの目カッターである。
【発明の効果】
【０００７】  第一発明、または第二発明によれば、トレー部に豆腐を置きとってを持ち上げ器具本体を傾けると豆腐は自重により滑り自然と縦切断部へと挿入される。縦切断部を通過後、十字切断部が下面となるようさいの目カッター本体を回転させると豆腐は十字切断部を通過してさいの目状となり排出される。縦切断部、十字切断部に張られた切断線材により一瞬に切断するため大変効率よく寸法が揃ったきれいなさいの目切りができる。なお豆腐の固さにより自重で切断出来ない場合でも手が挿入できるため簡単に豆腐を押し出すことができる。
【図面の簡単な説明】
【０００８】
【図１】この発明の一実施形態を示す斜視図である。
【発明を実施するための形態】
【０００９】  この発明の一実施形態を、図１に示す。
さいの目カッターの本体１はトレー部２、縦方向に切断線材５を張った縦切断部３、縦横方向に切断線材５を張った十字切断部４、底板６、とって７から構成される。
トレー部２外周は脱落防止のためフチ８を設置。縦切断部３の一辺と底板６の一辺をつなぐ片面を十字切断部４とする。縦切断部３と底板６の間隔は大人の手を挿入できる寸法とし手を挿入して押すことにより切断補助ができるようにする。なお縦切断部３と十字切断部の配置は逆でも同じ結果が得られるので配置を逆にしても構わない。切断線材を張る間隔は必要とするさいの目寸法に合わせて設置する。
【００１０】「実施形態の効果」
この実施形態によれば、トレー部２に豆腐を置きとって７を持ち上げ本体１を傾けると豆腐は自重により滑り自然と縦切断部３へと挿入され縦方向へ切断される、その後十字切断部４が下面となるよう本体１を回転させると豆腐は自重により滑り自然と十字切断部に挿入され十字切断部を通過した豆腐はさいの目状となり排出される。なお豆腐の固さにより自重で切断出来ない場合も手で押すことにより切断補助し簡単に豆腐を切断することができる。縦切断部、十字切断部に張られた切断線材により一瞬に切断するため大変効率よく寸法が揃ったきれいなさいの目切りができる。
【符号の説明】
【００１１】１  本体
２  トレー部
３  縦切断部
４  十字切断部
５  切断線材
６  底板
７  とって
８  フチ
【図１】
2013078302.tif 000003
(57)【要約】      （修正有）【課題】ＩＰＳ細胞による臓器をつくり、クローン臓器を提供する。【解決手段】人間の身体をメスで切開いて内臓の皮膚から、クローン臓器をつくる。【選択図】なし【特許請求の範囲】
【請求項１】
2013078303.tif 000006
【発明の詳細な説明】
2013078303.tif 000002
2013078303.tif 000003
2013078303.tif 000004
2013078303.tif 000005
【図１】
2013078303.tif 000007
【手続補正書】
【提出日】平成24年1月1日(2012.1.1)
【手続補正１】
【補正対象書類名】明細書
【補正対象項目名】全文
【補正方法】変更
【補正の内容】
【発明の詳細な説明】
１４年前こころの医療センターに入院した時糖尿病だったので糖尿病を治したいと考え、最初は中国人の死刑囚から腎臓とかをドナー移植させればいいと考えたが、しばらくするうちに看護婦さんがそれでは自分の身体に合う臓器がとれないんだよと言われたので次に思いついたのが、クローン牛の要領でクローン人間をつくり、そのクローン人間の中からドナー移植すればよいと考えた。
【発明が解決しようとする課題】
京大の山中教授もＩＰＳ細胞をやり始め、どうやって臓器をつくればよいか。
【課題を解決するための手段】
人間の身体をメスで切開いて内臓の皮膚から、クローン臓器をつくる。
【発明の効果】
これなら大部分の人たちは病気になってもクローン臓器をドナー移植すれば治る。
【図面の簡単な説明】図面は、技術的内容でし私は大学が、日本大学経済学部だったので医学のことが、よくわからないので知的財産権として、書るいを送り、図面は、省りゃくしてもらいます。
(57)【要約】【課題】パット入り表紙貼り作業は、機械化が難しく人間による手作業での厚紙と薄紙の一辺のテープ貼り、パット材の両面テープ又は糊付け、厚紙と薄紙の間にパット材を貼り付けるという様に工程が多くある為、製造時間短縮が難しく、製造費用が掛かっています。【解決手段】厚紙に直接、膠、ボンド等の糊を塗布しパット材を覆う薄紙に半切れを設けその部分を折り込む事により、厚紙との貼り付けの辺合わせが容易になり、厚紙に塗布した糊がパット材の貼り付けにも使える為、作業工程が省け製造時間の短縮、製造費の削減が可能になります。【選択図】図２
2013078926.tif 000002
【特許請求の範囲】
【請求項１】
直接厚紙（チップボール）のパット材が付く側に膠、ボンドなどの糊を塗布してパット材を貼り付ける所に特徴があります。
【請求項２】
薄紙（地券紙、ファンシーペーパー等）に半切れの折込を設け厚紙と張り合わせる所に特徴があります。
【請求項３】
請求項１、２の材料を使い完成に至るまでの作業工程に特徴があります。
【発明の詳細な説明】
【技術分野】
【０００１】この発明は、紙器業界一般において従来のパット入り表紙貼り製造方を画期的に簡素化し精度を高める発明です。
【背景技術】
【０００２】図１の要に従来紙器業界一般はパット入り表紙貼り製造方として、厚紙（チップボール）に寸法の少し大きい（１ｍｍ〜３ｍｍ）薄紙（地券紙、ファンシーペーパー等）を一辺だけ貼り合わせ、間にウレタン、ダンボール等のパット材を挟み込み表紙貼り製造します。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】従来の製造方では、厚紙と薄紙の一辺部分のテープ貼り、パット材の両面テープ等による固定、表紙くるみ後のパット材差込作業、と作業手順に手間が掛かっていました、また完成後のパットずれや厚紙と薄紙の合わさり精度が安定していませんでした。
【課題を解決するための手段】
【０００６】この度発明致しました図２の内容の様に、直接厚紙のパット材が付く側に膠、ボンドなどの糊を塗布します。
次にウレタン、ダンボール等のパット材を覆う薄紙（地券紙、ファンシーペーパー等）を予め厚紙より２０ｍｍ程度長くしておき、半切れの溝を設け、半切れの２０ｍｍを折込み厚紙と張り合わせます。
【発明の効果】
【０００７】厚紙と薄紙の貼り合わせ部分が溝を設けた幅になる事により強度が上がり安定度が大幅に向上します。
厚紙と一辺を貼り合わせ折り込むだけでテープ貼りの手間を省け、パット材を厚紙に直接貼り付ける事により両面テープ貼りの手間も省けます。
従来の製造方では完成後のパット材のずれなどが問題になっていましたが、厚紙に塗布する糊の量により大幅に軽減でき従来と変わらない仕上がりとなります。
又、表紙くるみ加工時における貼り合わせ部のはがれや空きが無くなります。
【図面の簡単な説明】
【０００８】
【図１】従来の製造過程を示したもので（Ａ）は材料の平面図（Ｂ）は組合わせた側面図
【図２】この発明を示したもので（Ａ）は材料の平面図（Ｂ）は組合わせた側面図
【発明を実施するための形態】
【０００９】図１にある様、厚紙と薄紙の一辺のテープ貼り、パット材の両面テープ又は糊付け、厚紙と薄紙の間にパット材を貼り付けるという様に工程が多くある為、製造時間短縮が難しく、製造費用が掛かっています。
図２にある様に、厚紙に直接、膠、ボンド等の糊を塗布し薄紙に半切れの折込を設ける事により作業手順の簡略化ができ組み合わせ精度が安定します。
【実施例】
【００１０】図１は従来のパット入り表紙製造に必要な材料と組み合わせを表しています。
図２は発明したパット入り表紙製造に必要な材料と組み合わせを表しています。
【符号の説明】
【００１１】１・厚紙  ２・薄紙  ３・パット材  ４・１から３の材料の貼り合せ図
５・厚紙  ６・薄紙  ７・パット材  ８・６から７の材料の貼り合せ図
【図１】
2013078926.tif 000003
【図２】
2013078926.tif 000004
(57)【要約】      （修正有）【課題】仰臥位で行われる歯科及び口腔外科診療時に起こりうる落下物の誤嚥や気道迷入を防止し、簡便に着脱でき、患者の違和感も少なく診療中に口の開閉が随意に出来ながら、且つ口腔内の全歯牙を可視で同時に施術できる咽頭開口部保護具を提供する。【解決手段】保護具１を装着した際、嘔吐反射を誘引させないために咽頭覆い部２の形状を変形及び削除できる構成とし、上顎歯列弓の齦頬移行部と下顎歯列弓齦頬移行部に当接する可撓性の環状体と、口腔内の咽頭部を覆う形状に形成された主体とが接続され一体となっている。【選択図】図１
2013078545.tif 000002
【特許請求の範囲】
【請求項１】
単純で一体な形態の保護具が、口腔内着脱が簡単でできることを特長とした診療補助具。
【請求項２】
前記保護具は  環状体の材質をより弾力性のある可撓性のある材質を使うことで障害のある患者や、小児、老人にも応用できることを特徴とする請求項１記載の補助具。
【発明の詳細な説明】
【技術分野】
【０００１】この発明は  仰臥位で行われる歯科及び口腔外科診療時に起こりうる落下物の誤嚥や気道迷入を防止する為の  咽頭開口部保護具である。簡便に着脱でき、患者の違和感も少なく診療中に口の開閉が随意に出来ながら、且つ  口腔内の全歯牙を可視で同時に施術できる保護具である。
【先行技術文献】
【０００２】
【特許文献１】特開平１０−１６５４１７ｊ−ｔｏｋｋｙｏ
【０００３】
【非特許文献１】特願平９−２６５６８０号
【背景技術】
【０００４】ラバーダム防湿法
【発明の概要】
【発明が解決しようとする課題】
【０００５】以上の技術による保護具では、数点の部品使用のため着脱が煩雑であり且つ、患者には違和感あり、診療中の口の開閉も不可能に近い状態を解決することを課題とする。
【課題を解決するための手段】
【０００６】以上の課題を解決するために  第１発明はすべてを一体化し着脱が簡便に行われるようにすることを特徴とする。更に診療中も口からの口呼吸が可能である。
また、第２発明は、この保護具を装着した際、嘔吐反射を誘引させないために咽頭部を覆う部分の形状を変形及び削除できることを特徴とする。
上顎歯列弓の齦頬移行部と下顎歯列弓齦頬移行部に当接する可撓性の環状体と、口腔内の咽頭部を覆う形状に形成された主体とが接続されていて一体となっていることを特徴とする。
【発明の効果】
【０００７】第１発明及び第２発明によれば  口腔内の治療時に歯科補綴物等を術者が誤って落下させた場合でも、物体は口腔内に留まり、誤飲や気道迷入を回避できる。
【図面の簡単な説明】
【０００８】
【図１】本発明に関する口腔内治療用保護具を真上から見た図。
【図２】口腔内治療用保護具を水平に横から見た図。
【図３】保護装置を口腔模型に装着したあと、装置が正しく定位置にある状態で大きく開口した正面写真。
【図４】口腔模型上で閉口          した状態で左側面から見た写真。
【図５】口腔模型上で開口した状態で左側面から見た写真。
【発明を実施するための形態】
【０００９】図１の装着前の形態は  平坦な状態であるが、装着時には楕円形の中央部を軸にして二つ折にし、そのまま上下の歯列弓外側の齦頬移行部に挿入する。
【００１０】「実施形態の効果」  装着された後、可撓性の環状体の中央部に接着されたラバーダムは患者の開口時に  上下に開き咽頭開口部を覆う状態になる。このラバーダムには複数の小穴が空けられており、落下物は通らないが口呼吸ができる大きさに空けてある。つまり通気性を有することを特徴とする、
「他の実施形態の効果」  装着する前に患者の様々な口腔、歯列弓の大きさに対応するために環状体の長さは図１の一部で調節できる。且つ、嘔吐反射をする場合はラバーダムの一部をカットすることで反射を軽減させることが出来る。
【産業上の利用可能性】装置の作成にあって構成部分が少ないため、安価に市場提供が出来、また、一回ごとの使い捨て使用ができて  衛生的な利用がなされる。
【符号の説明】
【００１１】▲１▼保護具本体    ▲２▼咽頭覆い部    ▲３▼環状体調節部
【図１】
2013078545.tif 000003
【図２】
2013078545.tif 000004
【図３】
2013078545.tif 000005
【図４】
2013078545.tif 000006
【図５】
2013078545.tif 000007
(57)【要約】      （修正有）【課題】水滴がテーブルに溢れるのを防ぎ、冷たさを保てるようなコースターを提供する。【解決手段】プラスチック素材の上皿１に凸部をもうけて容器の底に付いた水滴を切り、面に流して水滴落とし穴から同じプラスチック素材の下皿２に落として、テーブルの上には流れ出さないようにした。また冷たさを保てるように見た目にも楽しめるよう、絵等プリントした保冷パックを上の皿１と下の皿２に挟んだ。上皿１に水抜きの穴をもうけたので洗って何度でも使える環境にも優しいコースターである。【選択図】図１
2013078550.tif 000002
【特許請求の範囲】
【請求項１】
プラスチック素材の上皿（１）と下皿（２）の間に絵等プリントした保冷パック（３）を挟んだ三層のコースター
【請求項２】
請求項１の上皿（１）は上面に凸部をもうけて容器の底の水滴を切り、外周に（５）の水滴落とし穴を数個あけて下皿に水滴を落とす。下皿との接合部の内側に（６）の水抜き穴が数個あけて溜まった水を外に出す。
【請求項３】
請求項１の下皿の中央部に保冷パックを載せる部分が高くしてある。
【請求項４】
請求項１の保冷パック（３）は絵等をプリントしたものをである。
【発明の詳細な説明】
【技術分野】
【０００１】    本発明は、冷たい飲み物を入れた容器の下に敷くコースターであって容器に付いた水滴が受け皿の上皿から流れ落ち下皿に溜まるようにし、二枚の間に挟んだ保冷パックにより冷たさを維持持するコースターに関する物である。
【背景技術】
【０００２】    今まで、お店等で冷たい飲み物の下に紙やコルクのコースターが水滴受けに敷かれていた。また容器を保冷するような物は無かった。
【発明の開示】
【発明が解決しようとする課題】
【０００３】    お店や自宅で、ビール、ジュースなど時間が経つと、水滴がコースターから流れ出さない事・会議で横に置いた容器を持ち上げて飲もうした時に、水滴が落ちて会議の資料を濡らさない事・冷たさを保って欲しい事。
本発明は以上の問題点を解決するためになされた物である。
【課題を解決するための手段】
【０００４】    本発明は、プラスチックの素材で、上皿と下皿を作りこの間に保冷パックを挟んだ三層構造としている。
上皿は面に凸部をもうけて、水滴を切り、水滴落としの穴から下皿に落として下皿に水滴を溜める
水滴を溜める下皿の中央部を高くし、この部分に保冷パックを載せて、この上に放射線状の凸部を設けてその外周に数個の穴をあける。上皿を下皿にはめ込む、この接合部の上皿の内側に数個の穴をあける。本発明は以上の構成によりなる。
【発明の効果】
【０００５】  冷たいビールやジュースの容器をこのコースターに載せておくと、飲み物の容器の底に溜まった水滴は上の皿の凸部を伝い皿の面状に流れて、外周の穴から下の皿に溜まる。容器と上皿の設置面が少ないので、持ち上げた時も水滴はほとんどないので、垂れない。もちろんコースターから水滴が漏れないのでテーブルは濡れない。
保冷パックのお陰で冷たさも維持出来る。
【発明を実施するための最良の形態】
【０００６】  以上の、本発明の説明をする。
（イ）上の皿は、プラスチックからなる皿で図１のように平な面に、凸部をもうける。ここは容器の底の部分が載る所で、設置面を極力小さくする、その外周に小さな穴をあけ流れて来た水滴が下皿に落ちるようにするための穴である。皿の深さを確保してその淵にフランジを立てるこのフランジは下皿をはめ込み接合するための物である。このフランジの内側に数個の穴をあける。この穴は下皿と接合した後水滴を流す為の穴をもうけたものである。上皿の下側に保冷パックを囲むように等間隔で足を４本もうける。
（ロ）保冷用に間に挟む保冷パックは薄型の小さな物で、表裏に絵や文字で、お店の名前や記念日の写真、等プリントして挟む、上皿と下皿が半透明のため、目でも楽しめる。
（二）下の皿はプラスチックからなる皿で、図３のように保冷パックを載せるスペースの所を高くする。この部分があるため保冷パックはテーブル面と直接触れていないので保冷が保たれる。そして周りが水滴を溜めるスペースになる。
（ホ）下の皿に保冷パックを載せて上皿をこの上に被せて上皿のフランジで包み込むようにしたら完成である。
本発明は以上の構成よりなる。
本発明のコースターは、冷たい飲み物をお店や自宅で飲む時に容器の下に水滴を受けるのに、このコースターを冷凍室で冷やしてテーブルに置き、その上に飲み物の入った容器を載せる、容器の底に流れ出てくる水滴はコースターの上皿の（１）の凸部から上の皿の面を伝い、（２）の水滴落としの穴から下皿に溜まり、テーブルに流れでないのでテーブルや資料を濡らさない。保冷パックにより冷たさを保て、表裏にお店の名前・きれいな絵・記念の写真・お祝い事の記録等プリントして、見た目にも楽しいので、記念のプレゼントやお店の宣伝にもなる。
さらに、このコースターは洗って水切りして、冷凍室で冷やして繰り返し使えて環境に優しい物である。
【図面の簡単な説明】
【０００７】
【図１】  本発明の斜視図
【図２】  本発明の断面図
【図３】  本発明の上の皿の平面図
【図４】  本発明の保冷パックの平面図
【図５】  本発明の下の皿の平面図
【図６】  本発明の下の皿の断面図
【符号の説明】
【０００８】    （１）上皿、（２）下皿、（３）保冷パック（４）水切り凸部、（５）水滴落とし穴（６）水抜き穴（７）保冷パック載せ台
【図１】
2013078550.tif 000003
【図２】
2013078550.tif 000004
【図３】
2013078550.tif 000005
【図４】
2013078550.tif 000006
【図５】
2013078550.tif 000007
【図６】
2013078550.tif 000008
(57)【要約】【課題】  六面体のサイコの各面に、「あ」行から「わ」行までの５０音の文字を書き、たとえば、「あ」行、「あ・い・う・え・お」と、いうように書き、サイコロを振って出た面の言葉を、頭にして作り、それを速く言った人が勝ち、となるゲーム的な言葉遊びを、二人以上の複数の人数で楽しくできるサイコロ言葉遊び具を提供する。【解決手段】    六面体のサイコロに「あ」行から「わ」行までの５０音の文字を書く。一つの「行」で１サイコロを作り、それらのサイコロを５０音順に作る。全部で９個のサイコロとなり「や」行だけが３文字になるので、最後の「わ」を入れて４文字のサイコロを一つ作る。このサイコロだけ空白が二面になり、残りのサイコロは全部５文字なので、一面だけが空白となるようにしたことを特徴とするサイコロ。【選択図】図１
2013078549.tif 000002
【特許請求の範囲】
【請求項１】
六面体のサイコロに「あ」行から「わ」行までの５０音の文字を書く。一つの「行」で１サイコロを作り、それらのサイコロを５０音順に作る。全部で９個のサイコロとなり「や」行だけが３文字になるので、最後の「わ」を入れて４文字のサイコロを一つ作る。このサイコロだけ空白が二面になり、残りのサイコロは全部５文字なので、一面だけが空白となるようにしたことを特徴とするサイコロ。
【発明の詳細な説明】
【技術分野】
【０００１】  この発明は、六面体のサイコの各面に、「あ」行から「わ」行までの５０音の文字を書き、たとえば、「あ」行、「あ・い・う・え・お」と、いうように書き、サイコロを振って出た面の言葉を、頭にして作り、それを速く言った人が勝ち、となるゲーム的な言葉遊びを、二人以上の複数の人数で楽しくできるサイコロ言葉遊び具に関するものである。
【背景技術】
【０００２】  従来、数字を使ったサイコロで、ゲームをしたり、計算したりするものがあった。
また、言葉の書かれたサイコロをいくつか使い、それを組み合わせて言葉遊びするものがあった。
たとえば、容器の中にサイコロのような多面体ブロックを容器容積よりもブロック一つ分減らして詰め、多面体ブロックをずらして遊ぶ玩具で、立体的ブロックずらしパズルが提案されている（特許文献１参照）。
ゲーム感覚で四則演算などを学習することができ、幼児や老人の知的能力訓練器具としても使用できるサイコロ型の学習装置が提案されている（特許文献２参照）。
【先行技術文献】
【特許文献】
【０００３】
【特許文献１】  特開２０００−２０２１５６号公報
【特許文献２】  特開２００６−３５０２６１号公報
【発明の概要】
【発明が解決しようとする課題】
【０００４】  いくつかのサイコロの面にひらがなを書き、それを組み合わせて作るものは、一人学びとして活用できるが、複数の人たちが学んだり、遊んだりすることができなかった。
本発明は、以上のような欠点をなくすために考えたものである。
【課題を解決するための手段】
【０００５】  六面体のサイコロに「あ」行から「わ」行までの５０音の文字を書き、一つの「行」で１サイコロを作り、それらのサイコロを５０音順に作り、全部で９個のサイコロとなり、「や」行だけが３文字になるので、最後の「わ」を入れて４文字のサイコロを一つ作り、このサイコロだけ空白が二面になり、残りのサイコロは全部５文字なので、一面だけが空白にする。
本発明は、以上のように構成されたサイコロ言葉遊び具。
【発明の効果】
【０００６】  二人以上の複数の人が言葉遊びをすることができ、ゲーム性もあるので楽しんで、語いを増やすことができる。
また、声を出すことが苦手な人が気軽に声を出したり、言葉の発達や高齢化社会におけるボケ防止にも役立てられる。
【図面の簡単な説明】
【０００７】
【図１】  本発明の全体を示した斜視図である。
【発明を実施するための形態】
【０００８】  サイコロの六面体（１）のサイコロの各面に５０音文字（２）を「あ・い・う・え・お」と書く。
残りの５０音文字（２）も「か」行・「さ」行・「た」行・「な」行・「は」行・「ま」行・「や」行・「ら」行をそれぞれの面に一字ずつ書く。
全部で９個のサイコロができ１セットとなる。
「や」行だけ、３文字になるので、最後の「わ」を入れ４文字とし空白を二面とする。
あとのサイコロは全部５文字なので一面だけが空白となる。
その空白部分は、遊ぶ相手の頭文字を入れたり、一回お休みしたりと前もって約束事を決めて言葉遊びをする。
遊び方には、サイコロを振って出た面、たとえば「い」が出たらイスと、速く言った方が勝ちとなる。
また、文字数をあらかじめ決めておき、３文字の言葉、４文字の言葉と約束ごとを決めて言葉遊びをすることもできる。
【符号の説明】
【０００９】１  六面体
２  ５０音文字
【図１】
2013078549.tif 000003
(57)【要約】【課題】本発明が解決しようとする課題は、ペットボトルやフラスコ状の容器の様に、極端に開口部が狭く肩部より大きく膨らんだ形状の容器でも洗浄器具が肩部や内周面にしっかりと届き押圧しながら洗浄出来るようにすることである。【解決手段】解決手段として、洗浄器具の柄を注射器状の握持式とし、柄を握持すると、ピストンの先端部に取り付けられた洗浄部を設けた２本以上のアームがピストンに押し出された分だけそれぞれ反対方向に広がり、互いに押し合いながら容器内部で突っ張り、洗浄部が可動可能な為、角度のある肩部も含めた容器内側面にしっかりと届き押圧しながら洗浄することを最も主要な特徴とする。【選択図】図３
2013078669.tif 000002
【特許請求の範囲】
【請求項１】
洗浄器具の柄の部分を注射器状の握持式とし、柄を握持時にピストンを押し出す力の方向をピストン部とアームとの結合部より横方向へと変向しそれぞれのアームの先端に設けられた洗浄部に伝わる為にそれぞれの洗浄部分が互いに押し合い、容器内周面を突っ張りながら押圧して洗浄することを特徴とする洗浄器具。
【請求項２】
それぞれのアームの先端に設けられた洗浄部が可動可能な請求項１に記載の洗浄器具。
【発明の詳細な説明】
【技術分野】
【０００１】
本発明は、洗浄器具一般に属する。
特に食器等の容器の内側面を洗浄する器具に属する。
【背景技術】
【０００２】
従来の技術では開口部が狭く手が入らない容器の内周面を洗浄する時、開口部より長い柄の付いたブラシや柄の曲がったブラシ等（特許文献１参照）で内周面を擦る方法や、和鋏状の柄を把持する事により交差された先端部が開き、内周面を押圧しながら洗浄する方法（特許文献２参照）等があった。しかし前記文献（特許文献１参照）の方法では開口部が狭く底が深い容器の内側面に対して力が入りにくく、フラスコ状の容器、花瓶等では肩部内周面に洗浄部が届きにくいという問題があった。その問題を解決すべく考案された後記文献（特許文献２参照）の方法は内周面の対称位置に力を加えることにより加圧時の不安定さは解消解消されるが前記文献と同様に容器外部の把持部から容器内部の洗浄部に同じ方向の力を柄を通して平行に伝える事には変わりはなく柄の長さが長くなるほど力は柄の弾力に吸収され伝わりにくくなる。更に把持部を握って縮める距離が容器内部の洗浄部を広げる距離となる為にペットボトルやフラスコ状の様な極端に開口部が狭く、肩部を有し容器下部が膨らんでいる形状の容器では把持部を縮める距離が極端に短く、内部の洗浄部を十分に開かせる事が難しく、肩部や内周面をしっかりと押圧しながら洗浄することが困難であった。
【先行技術文献】
【特許文献】
【０００３】
【特許文献１】特開２０００−２０１７４２
【特許文献２】特開２００５−２１８４７
【発明の概要】
【発明が解決しようとする課題】
【０００４】
前記問題を解決すべく課題として開口部が狭く容器内に手が入らなくても容器外部で加えた力が容器内部で変向され、少なくとも２つ以上設けられた洗浄部が互いを押し合うように容器内周面を突っ張る様に押圧出来る洗浄器具が望ましい。
【０００５】
また、開口部が極端に狭く、肩部より下が大きく膨らんでいる容器では下方向に動かす距離を容器内部で変向して横方向に動かす距離に変えることが出来れば開口部の大きさに関係なく内部の洗浄部を十分に可動させる事が出来る。本発明はこれらの要望を満たし、従来の問題を解決しようとするものである。
【課題を解決するための手段】
【０００６】
前記の課題を解決する為の手段として本発明は、洗浄器具の柄の形状を注射器状とし、握持時にピストン先端部に可動可能な結合部によって設けられた少なくとも２本以上の交差させたアームがピストンによって押し出され、それと同時に筒部先端に対称位置に設けた開口部の縁によって進路を邪魔されることにより変向し、容器内周面に向かって押し広げるように可動する。
【０００７】
握持時にピストンにかかる下方向に押し出す力は、ピストン先端部の結合部によって変向し、それぞれのアームを通してそれぞれのアーム先端に設けられた洗浄部に伝えられる。すなわち、ピストン先端部という同じ土台からそれぞれ反対の方向に加圧する為にピストン部を中心に互いのアームを押し合う形となり、容器内周面を突っ張る形で押圧する事が出来る。
【０００８】
また、柄の形状を注射器状とした事でピストンを押し出す距離がそれぞれのアームを押し出す距離となる為、開口部の大きさに関係なく、極端に開口部が狭く肩部からの膨らみが大きい容器でも十分に対応する事が可能となった。
【０００９】
更に、アーム先端部に設けられた洗浄部が可動可能である為に肩部の斜面にもしっかりと届く事が可能となった。
【発明の効果】
【００１０】
本発明は洗浄器具の柄の形状を注射器状とした為、極端に開口部の狭いペットボトルやフラスコ状の容器、又はひょうたんの様な特殊な形状の容器の内周面でもしっかりと洗浄部が届き、押圧しながら洗浄することが可能となった。
【００１１】
（図３）は本発明の実施例の使用状況を表した側面図であるが、握持した常態で回動させながら洗浄すると肩部を含む内側面をムラが無くより効率良く洗浄する事が出来る。
【図面の簡単な説明】
【００１２】
【図１】図１は本発明の斜視図である。尚、筒部（１）は内部構造を明確にする為に透明状態で表し、他図面も同様とする。
【図２】図２は本発明の握持時の斜視図である。
【図３】図３は本発明の実施例の使用状況を表した側面図である。
【図４】図４は本発明の力の伝達方向を現した側面図である。
【図５】図５は本発明の力の伝達方向を現した側面図である。
【発明を実施するための形態】
【００１３】
本発明の実施形態は、洗浄器具の柄の形状を注射器状とし（図１）ピストン部（２）の先端部に可動可能な結合部（７）によって少なくとも２本以上のアーム（３）と（４）を交差させて取り付けそれぞれのアームの先端部を筒部（１）の先端部に対称位置に設けたそれぞれの開口部（８）より外部に出し、それぞれの先端部に可動可能な結合部（９）によってスポンジやブラシやたわし等の洗浄部（５）と（６）を設ける。筒部（１）とピストン部（２）を注射器の様に握持する事により（図２）ピストン部（２）の先端部に取り付けられた可動可能なアーム（３）と（４）が押し出され、それと同時に開口部（８）の縁によって進路を邪魔されることにより変向させられそれぞれのアーム（３）と（４）はピストン部（２）の先端部を中心に互いに押し合う様に容器の内周面を突っ張りながらそれぞれの先端部に設けられた洗浄部分を押圧する。（図４）（図５）
【００１４】
又、洗浄部（５）（６）とアーム（３）（４）の結合部分に可動部（９）を設ける事により様々な形状の肩部や特殊形状の容器に対応することが出来る。
【００１５】
尚、（１０）のバネは任意の物である。握持後の戻りをサポートする物であり、本発明の要旨に必ずしも必要であるわけではない。
【符号の説明】
【００１６】
１  筒部
２  ピストン部
３  アーム
４  アーム
５  洗浄部
６  洗浄部
７  可動部
８  開口部
９  可動部
１０  バネ
【図１】
2013078669.tif 000003
【図２】
2013078669.tif 000004
【図３】
2013078669.tif 000005
【図４】
2013078669.tif 000006
【図５】
2013078669.tif 000007
(57)【要約】【課題】運転コストを低く抑えながら、排水からセレンを高率で除去する。【解決手段】希土類化合物を含む吸着剤を、ｐＨ１．０以上４．５未満でセレンを含有する排水と接触させる排水からのセレン除去方法。希土類化合物は、イットリウム、ランタン、セリウム、又はイッテルビウムの酸化物、あるいは水酸化物の中から選ばれる１種類又は２種類以上の希土類化合物を含むことができる。希土類化合物を多孔質の無機材料又は有機材料に担持させたものを吸着剤として使用することが好ましい。【選択図】図１
2013078711.tif 000002
【特許請求の範囲】
【請求項１】
希土類化合物を含む吸着剤を、ｐＨ１．０以上４．５未満でセレンを含有する排水と接触させることを特徴とする排水からのセレン除去方法。
【請求項２】
前記希土類化合物は、イットリウム、ランタン、セリウム、又はイッテルビウムの酸化物、あるいは水酸化物の中から選ばれる１種類又は２種類以上の希土類化合物を含むことを特徴とする請求項１に記載の排水からのセレン除去方法。
【請求項３】
前記希土類化合物を多孔質の無機材料又は有機材料に担持させたものを前記吸着剤として使用することを特徴とする請求項１又は２に記載の排水からのセレン除去方法。
【発明の詳細な説明】
【技術分野】
【０００１】
本発明は、セレンを含む排水と、希土類化合物を含む吸着剤とを接触させることによって、排水からセレンを除去する方法に関する。
【０００２】
従来、排水に含まれるセレンを除去するにあたって、例えば、還元剤として塩化第一鉄（ＦｅＣｌ2）を用いて凝集沈殿処理を行う方法が知られている。
【０００３】
また、特許文献１には、ｐＨ調整等の前処理を行うことなく、希土類化合物を含む吸着剤とセレンを含有する排水とを接触させ、排水中のセレンを簡易な工程で吸着除去する方法が提案されている。
【先行技術文献】
【特許文献】
【０００４】
【特許文献１】特開２００７−３２６０７７号公報
【発明の概要】
【発明が解決しようとする課題】
【０００５】
しかし、還元剤として塩化第一鉄を用いて凝集沈殿処理を行う方法では、排水中のセレン濃度を安全とされる基準まで除去するには、還元剤としての塩化第一鉄を大量に消費し、運転コストが高騰するという問題があった。
【０００６】
一方、特許文献１に記載のセレン含有水の処理方法では、ｐＨ調整等の前処理が不要で簡易な工程で処理できるという利点があるものの、セレンの除去率の面で改善の余地があった。
【０００７】
そこで、本発明は、上記従来の技術における問題点に鑑みてなされたものであって、運転コストを低く抑えながら、排水から４価及び６価のセレンを高率で除去することを目的とする。
【課題を解決するための手段】
【０００８】
上記目的を達成するため、本発明は、排水からのセレン除去方法であって、希土類化合物を含む吸着剤を、ｐＨ１．０以上４．５未満でセレンを含有する排水と接触させることを特徴とする。
【０００９】
そして、本発明によれば、ｐＨを１以上４．５未満に調整してセレンを希土類化合物を含む吸着剤に吸着させることで、４価のセレンも６価のセレンも共に除去することが可能で、４０〜８０％程度のセレン除去率を達成することができ、運転コストを低く抑えながら、排水からセレンを高率で除去することができる。また、ｐＨは３以上４未満がさらに好ましく、７０％以上のセレン除去率を達成することができる。尚、セレン除去率は吸着剤の添加量を増加させればさらに高めることができる。
【００１０】
上記排水からのセレン除去方法において、前記希土類化合物は、イットリウム、ランタン、セリウム、又はイッテルビウムの酸化物、あるいは水酸化物の中から選ばれる１種類又は２種類以上の希土類化合物を含むことができる。
【００１１】
また、上記排水からのセレン除去方法において、前記希土類化合物を多孔質の無機材料又は有機材料に担持させたものを前記吸着剤として使用することができ、セレンの吸着に供する表面積を増大させ、さらに効率よくセレンを吸着除去することができる。
【発明の効果】
【００１２】
以上のように、本発明によれば、 運転コストを低く抑えながら、排水から４価及び６価のセレンを高率で除去することができる。
【図面の簡単な説明】
【００１３】
【図１】４価及び６価のセレンを含む排水に水酸化セリウムを吸着剤として投入した場合の排水のｐＨと処理水のセレン濃度との関係を示すグラフである。
【図２】４価及び６価のセレンを含む排水に水酸化セリウムを吸着剤として投入した場合の排水のｐＨとセレン除去率との関係を示すグラフである。
【発明を実施するための形態】
【００１４】
本発明に係る排水からのセレン除去方法は、希土類化合物を含む吸着剤を、ｐＨ１．０以上４．５未満でセレンを含有する排水と接触させることを特徴とする。希土類化合物、特にイットリウム、ランタン、セリウム、又はイッテルビウムの酸化物、あるいは水酸化物の中から選ばれる１種類又は２種類以上の希土類化合物等は、４価及び６価のセレンを効果的に吸着除去することができ、排水中に４価のセレンと６価のセレンが共存する場合でも、排水のｐＨを１以上４未満に調整するだけでセレン除去が可能となる。尚、吸着剤として使用する希土類化合物は、上記列挙したものが好ましいが、これらに限定されるものではない。
【００１５】
上記希土類化合物は、粉末状の化合物を直接排水に投入してもよいが、多孔質の無機材料又は有機材料に担持させて使用することが好ましい。セレンの吸着に供する吸着剤の表面積を増大させることができるので、少ない希土類化合物の添加で、効率よくセレンを吸着除去することができる。
【実施例１】
【００１６】
蒸留水にＮａ2ＳｅＯ3を溶解させ、４価のセレンを５．１ｍｇ／ｌ含有する水溶液を調製した。また、蒸留水にＮａ2ＳｅＯ4を溶解させ、６価のセレンを５．７ｍｇ／ｌ含有する水溶液を調製した。これらの水溶液を等量混合した水溶液を、蒸留水を用いて１０倍希釈することによって、４価のセレンを０．２６ｍｇ／ｌ含有し、６価のセレンを０．２９ｍｇ／ｌ含有するｐＨ＝６．３の水溶液を調製し、これを供試液とした。
【００１７】
供試液を９００ｇ採取し、ＨＣｌ、ＮａＯＨ水溶液を添加し、所定のｐＨに調整した。そこに水酸化セリウム試薬０．３４ｇを担持した樹脂を添加し、３０分間撹拌した。処理水に含まれるセレン濃度を測定したところ、図１に示す結果が得られた。ｐＨ＝１３．５〜４．５での処理水と、ｐＨ＝２．５〜１．０での処理水は、いずれもｐＨを下げるほど処理水に含まれるセレン濃度は低下した。ｐＨ＝２．５〜４．５での処理水に含まれるセレン濃度は、下に凸の曲線を描き、ｐＨ＝３．０とｐＨ＝３．９における処理水セレン濃度は、各々０．１３４ｍｇ／ｌ、０．０８５ｍｇ／ｌと低い数値であった。図２は、図１に示した処理水に含まれるセレン濃度からセレン除去率を算出したものであり、ｐＨ１．０〜４．５において高い除去率を示している。
【図１】
2013078711.tif 000003
【図２】
2013078711.tif 000004